【手続補正書】
【提出日】平成17年9月30日(2005.9.30)
【手続補正１】
【補正対象書類名】明細書
【補正対象項目名】全文
【補正方法】変更
【補正の内容】
【書類名】      明細書
【発明の名称】  無線通信システムにおいて制御情報を処理する方法
【特許請求の範囲】
【請求項１】  符号化されたシグナリング情報を含む制御チャネルを介して、無線通信システムで制御情報を処理する方法において、
対応するデータ送信は、制御チャネルとは別のチャネルで行われ、
（Ａ）  前記制御チャネルにおいて、前記符号化されたシグナリング情報の一部を個別に復号化するステップと、
（Ｂ）  前記符号化されたシグナリング情報の残りの部分を復号化する前に、対応するデータ送信用に、前記符号化されたシグナリング情報の前記個別に復号化された部分から送信フォーマット情報を抽出するステップと
を有することを特徴とする無線通信システムにおいて制御情報を処理する方法。
【請求項２】  前記符号化されたシグナリング情報は、トランスポートフォーマット／資源関連情報とハイブリッド自動再送要求情報と巡回性冗長チェック情報とからなるグループから選択された情報を含む
ことを特徴とする請求項１記載の方法。
【請求項３】  前記トランスポートフォーマット／資源関連情報は、送信フォーマット情報を含む
ことを特徴とする請求項２記載の方法。
【請求項４】  前記送信フォーマット情報は、符号情報と変調情報とトランスポートブロックセットサイズ情報とトランスポートチャネル識別情報とからなるグループから選択された情報を含む
ことを特徴とする請求項３記載の方法。
【請求項５】  前記（Ａ）ステップは、データ送信に対応する送信タイムインターバルの開始の前に行われる
ことを特徴とする請求項１記載の方法。
【請求項６】  前記符号化されたシグナリング情報は、たたみ込み符号化されており、
前記符号化されたシグナリング情報の前記個別に復号化された部分が全てのテールビットのうちの一部を含むように、テールビットが、選択的に前記符号化シグナリング情報に追加される
ことを特徴とする請求項１記載の方法。
【請求項７】  （Ｃ）  前記符号化されたシグナリング情報から選択されたビットをパンクチャリングするステップ
をさらに有することを特徴とする請求項６記載の方法。
【請求項８】  前記符号化されたシグナリング情報の前記個別に復号化された部分からのビットのパクチャリングは、前記符号化されたシグナリング情報の残りの部分からのビットのパンクチャリングよりも少ない
ことを特徴とする請求項７記載の方法。
【請求項９】  シグナリング情報を含む制御チャネルを介して無線通信システムにおいて制御情報を送信する方法において、
対応するデータ送信は、制御チャネルとは別のチャネルで行われ、
（Ａ）  前記シグナリング情報の一部が個別に符号化され且つ前記一部が対応するデータ送信用の送信フォーマット情報を含むように、前記シグナリング情報を符号化するステップと、
（Ｂ）  前記送信フォーマット情報が、前記符号化された一部の残りの部分が復号化される前に、前記一部から取り出されるように、前記符号化されたシグナリング情報を前記制御チャネルを介して送信するステップと、
を有する
ことを特徴とする無線通信システムにおいて制御情報を送信する方法。
【請求項１０】  少なくとも一つの基地局と少なくとも一つの移動局とを有する無線通信システムにおいて制御情報を復号化する方法において、
（Ａ）  符号化された情報を移動局において受信するステップであって、前記符号化された情報は前記符号化情報はデータ送信に対応する送信フォーマットを示すシグナリング情報を含む、ステップと、
（Ｂ）  前記データ送信の前に前記符号化された情報の一部を個別に復号化するステップと
を有する
ことを特徴とする無線通信システムにおいて制御情報を復号化する方法。
【発明の詳細な説明】
【０００１】
【発明の属する技術分野】
本発明は、無線通信システムに関し、特にこのシステムにおける制御チャネルで送信された情報を符号化／復号化する方法に関する。
【０００２】
【従来の技術】
無線通信システムにおいては、エアインタフェースを用いて移動局と基地局または他の通信システム機器の間で情報を交換している。エアインタフェースは、通常複数の通信チャネルを含む。
【０００３】
ユニバーサルモバイル通信システム（Universal Mobile Telecommunication System，ＵＭＴＳ）の標準において、高速ダウンリンクパケットアクセス（High Speed Downlink Packet Access，ＨＳＤＰＡ）の使用においては、例えば高速ダウンリンク共有チャネル（High Speed Downlink Shared Channel，ＨＳ−ＤＳＣＨ）を用いて基地局から複数の移動局（例えば、ユーザ機器）に情報を送信している。
【０００４】
高速ダウンリンク共有チャネル（ＨＳ−ＤＳＣＨ）を介してデータ送信を容易にするためにシグナリング情報が専用の制御チャネルあるいは共有制御チャネルを介して与えられる。具体的に説明すると、個々の専用ダウンリンクフィジカルチャネル（Downlink Physical Channel，ＤＰＣＨ）が各移動局に割り当てられ、それを用いてそれぞれの基地局が特定の送信タイムインターバルの間に送信情報を有していることを示している。専用の制御チャネルに加えて高速ダウンリンク共有チャネル（ＨＳ−ＤＳＣＨ）に関連する複数の共有制御チャネル（Shared Control Channel，ＳＣＣＨ）がある。
【０００５】
共有制御チャネル（ＳＣＣＨ）は、対応するデータ送信を処理するために移動局に必要とされるシグナリング情報を送信する。例えば、共有制御チャネル（ＳＣＣＨ）内のシグナリング情報は、符号情報（この符号を用いてデータ送信を行う）と変調情報とトランスポートブロックセットサイズ（Transport Block Set Size，ＴＢＳＳ）等の送信フォーマット情報を含む。共有制御チャネル（ＳＣＣＨ）が全ての移動局の間で共有ベースで用いられ、移動局は、共有制御チャネル（ＳＣＣＨ）が特定の移動局に向けられたものであること（例えば、専用のＤＰＣＨを介して）を示したときのみ共有制御チャネル（ＳＣＣＨ）を解読する。
【０００６】
【発明が解決しようとする課題】
従来公知のように、共有制御チャネルＳＣＣＨを介して送信された制御情報、即ちシグナリング情報は、例えばブロック符号あるいはたたみ込み符号を用いて符号化される。かくして、移動局は、共有制御チャネル（ＳＣＣＨ）内の全ての情報を復号化しなければならず、そしてその後、それを用いて対応するデータ送信を処理している。共有制御チャネル（ＳＣＣＨ）内のシグナリング情報を復号化する従来方法はいくつかの点で限定されたものである。例えば、ブロック符号化の固有の限界（例えば、符号化の非効率性）とたたみ込み符号化における固有の限界（例えば、テールビットために余分のオーバヘッドが必要とされる）がある。さらにまたデータ送信に対応するシグナリング情報の全てを復号化することは、タイミングの要件（例えば、シグナリング送信とデータ送信の間のオフセットと遅延）とバッファ要件、シグナリング情報の復号化に際するエラーの検出と修正の結果として複雑となる。
【０００７】
【課題を解決するための手段】
無線通信システムにおいて、追加されるオーバヘッドを最小にしながら制御情報を処理する効率的でかつ信頼性の高い方法は、本発明によれば、制御情報の一部を個別に符号化／復号化し、復号化された制御情報の選択された部分から対応するデータ送信に対する送信フォーマット情報を抽出することにより得られる。従来技術に対する効率性の実現は、制御情報の符号化されたシーケンスの全体は、対応するデータ送信用の送信フォーマット情報を抽出することは必ずしも必要ないからである。信頼性は、オーバヘッドを追加する要件を最小にするために、テールビットを適正に配置したたたみ込み符号化を用いることにより達成される。
【０００８】
本発明の一実施例によれば、制御情報は、別のチャネルで対応するデータ送信用に、符号化されたシグナリング情報を含む制御チャネルを介して無線通信システム内で処理される。制御チャネルにおいては、対応するデータ送信用の送信フォーマットを決定するために、符号化されたシグナリング情報の一部のみを別個に復号化している。符号化されたシグナリング情報の一部は、残りの部分が復号化される前に復号化される。本発明の一実施例によれば、シグナリング情報は、テールビットの１つの組を用いてたたみ込み符号化される。本発明の他の実施例によれば、シグナリング情報の復号化の信頼性を上げるためにテールビットが符号化されたシグナリング情報の別の部分に追加される。
【０００９】
【発明の実施の形態】
本発明を説明する前に、ＨＳＤＰＡ標準に従った無線通信システムのチャネル構造とシグナリング動作について説明する。
【００１０】
ＨＳＤＰＡ標準においては、高速ダウンリンク共有チャネル（ＨＳ−ＤＳＣＨ）は、基地局から複数の移動局（例、ユーザ機器）への送信用に用いられる。ＨＳ−ＤＳＣＨのデータ送信に対応するシグナリング情報は、専用ダウンリンクフィジカルチャネル（ＤＰＣＨ）および共有制御チャネル（ＳＣＣＨ）を介して送信される。例えば、図１は、移動局からの高速ダウンリンク共有チャネル（ＨＳ−ＤＳＣＨ）に対応するダウンリンクシグナリング情報用の基礎的フィジカルチャネル構造１００を示す。
【００１１】
特に、各移動局（ユーザ）は、ダウンリンクフィジカルチャネル（ＤＰＣＨ）１０１、例えばこの実施例においては、ユーザ１〜Ｋのそれぞれに対し個別のＤＰＣＨを有する。複数の符号多重化された共有制御チャネル（ＳＣＣＨ）１０２、例えばこの実施例においては、１〜Ｍをシグナリング情報用に全てのユーザ間で共有ベースで用いられる。ＨＳＤＰＡ標準の現在のバージョンでは、共有制御チャネル（ＳＣＣＨ）の番号は、最小の１（Ｍ＝１）から最大の４（Ｍ＝４）までの範囲であり、各共有制御チャネル（ＳＣＣＨ）が個々のユーザ（移動局）に対応している。
【００１２】
Ｍ＝４の実施例においては、Ｋ人のユーザのサブセットに対し、Ｋ個のダウンリンクフィジカルチャネルＤＰＣＨと４個の共有制御チャネル（ＳＣＣＨ）が各フレーム（例えば、ＨＳＤＰＡでは送信タイムインターバル（transmission time interval，ＴＴＩ））内で送信される。ＨＳＤＰＡ仕様の将来のバージョンは、このようには限定されない、例えば５個以上の共有制御チャネル（ＳＣＣＨ）が用いられ、特定のユーザに対し複数の共有制御チャネルＳＣＣＨが用いられる。
【００１３】
現在のＨＳＤＰＡ仕様に従った送信の形態においては、ＨＳ−ＤＳＣＨインディケータ（ＨＩ）が特定のユーザの専用ダウンリンクフィジカルチャネル（ＤＰＣＨ）で送信され、同一の送信タイムインターバル（ＴＴＩ）内の共有制御チャネル（ＳＣＣＨ）の１つが、そのユーザにより読み取られる必要があることを、そのユーザに示している。したがって、ＨＳ−ＤＳＣＨインディケータ（ＨＩ）は、そのユーザが読み取るべき共有制御チャネルＳＣＣＨと並列にあるいはその前のいずれかで送信される。ＨＳ−ＤＳＣＨインディケータ（ＨＩ）が、特定のユーザの専用ダウンリンクフィジカルチャネル（ＤＰＣＨ）内に存在しない場合には、そのユーザは、共有制御チャネル（ＳＣＣＨ）を復号化する必要はない。
【００１４】
図２は、ＨＳＤＰＡ標準に従って高速ダウンリンク共有チャネル（ＨＳ−ＤＳＣＨ）１５４を介してデータを送信する場合のシグナリング情報の送信のタイミングを表す送信シナリオ１５０を示す。具体的に説明すると、図２は、ＨＳ−ＤＳＣＨ１５４内で起こるデータ送信を示し、そして対応するシグナリング情報が共有制御チャネル（ＳＣＣＨ）１５３とダウンリンクフィジカルチャネル（ＤＰＣＨ）１５１または１５２のいずれか一方を介して送信される状態を示す。ＨＳＤＰＡで公知のように、送信タイムインターバル（ＴＴＩ）は、２ミリ秒の持続時間であり、これはＳＣＣＨ１５３のＴＴＩ１５６とＨＳ−ＤＳＣＨ１５４のＴＴＩ１５７で示す通りである。
【００１５】
さらにまた、各ＴＴＩは、等しい持続時間の即ち０．６７ミリ秒の３個のタイムスロットからなり、これはＤＰＣＨ１５１のタイムスロット１５５で示したとおりである。ＳＣＣＨ１５３とＨＳ−ＤＳＣＨ１５４の両方の送信は同期しているが、ＤＰＣＨ１５１（または１５２）で送信される情報は同期していない。タイムインターバル（τＨＳ−ＤＳＣＨ−ｃｏｎｔｒｏｌ）１５８は、ＳＣＣＨ１５３とＨＳ−ＤＳＣＨ１５４の間のオフセットを表し、この実施例では２個のタイムスロットである。したがって、この実施例においては、ＳＣＣＨ１５３とＨＳ−ＤＳＣＨ１５４の間には１個のタイムスロットのオーバラップが存在する。オーバラップの量は、特定のシステム設計で緩和できる許容可能な遅延量に従って変動する。
【００１６】
ＳＣＣＨ１５３内のシグナリング情報を用いて、ＨＳ−ＤＳＣＨ１５４内のデータ送信用の送信フォーマットに関する情報を提供し、その符号が用いられ変調方式が採用される。かくして移動局（ユーザ）は、ＴＴＩ１５７の終了前にＳＣＣＨ１５３内の対応するシグナリング情報を読み取らなければならい。
【００１７】
したがって、ＨＳ−ＤＳＣＨインディケータ（ＨＩ）は、適宜のＳＣＣＨ１５３内のシグナリング情報をユーザが読み取ることができるよう十分速く、ユーザ専用のＤＰＣＨ１５１（またはＤＰＣＨ１５２）内で送信しなければならない。図２に示す第１の実施例においては、ＤＰＣＨ１５１内のＨＩ１６０は、第１のタイムスロット１５５のスタート時に発生する。
【００１８】
第２の実施例においては、ＨＩ１６１は、タイムスロット１５５が終了した後（例えば第２のタイムスロットのスタート時）に発生する。かくして、ＨＩ１６０は、インディケータを送ることのできる最も早いときを表し（最も早い）、一方、ＨＩ１６１は、インディケータを送信できる最も遅いとき（最の遅い）を表す。かくして、ユーザはＨＩ１６０（または１６１）を受信し、ＳＣＣＨ１５３内でシグナリング情報を獲得してＴＴＩ１５７の間対応するデータ送信をサポートする。
【００１９】
本発明の実施例によれば、ＳＣＣＨ１５３からのシグナリング情報のサブセットのみが高速ダウンリンク共有チャネル１５４内のデータ送信の受領を開始するのに必要であるが、これはＳＣＣＨ１５３内の全ての情報がＴＴＩ１５７の終了時に受領しなければならないにも関わらず当てはまる。各ＴＴＩにおいて、ＳＣＣＨは、ある移動局に対しダウンリンクシグナリング情報を搬送する。
【００２０】
図３は、ＳＣＣＨ２５０の内容を単純化したものである。特にＳＣＣＨ２５０は、トランスポートフォーマット／資源関連情報（ＴＦＲＩ）２５１と、ハイブリッド自動再送要求（ＨＡＲＱ）情報２５２と、巡回冗長性チェック（ＣＲＣ）情報２５３とを有する。具体的には、ＴＦＲＩ２５１を用いて符号情報２６０を含むＨＳ−ＤＳＣＨトランスポートフォーマットのダイナミックな部分に関する情報、例えば対応するＨＳ−ＤＳＣＨ送信タイムインターバル（ＴＴＩ）内のフィジカルチャネル（チャネル化符号）の組と変調情報２６１と、送信ブロックセットサイズ（ＴＢＳＳ）／送信チャネル特定情報２６２とを搬送する。符号化レートは、２６０−２６２内で搬送される情報から示される。
【００２１】
ハイブリッドＡＲＱ（ＨＡＲＱ）情報２５２は、例えば対応するＨＳ−ＤＳＣＨ送信タイムインターバル（ＴＴＩ）内のＨＡＲＱ処理識別子を含む。ＨＡＲＱ情報２５２は、対応するＨＳ−ＤＳＣＨＴＴＩ内の送信の冗長性に関する情報を含む。ＳＣＣＨを用いてＨＳ−ＤＳＣＨに関連するシグナリング情報をＳＣＣＨが搬送する基地局（例、ユーザ機器）を特定する情報を搬送する。このためにＣＲＣ情報２５３を用いて特定の移動局を識別する。
【００２２】
図３に示す一般的なＨＳＤＰＡ送信の例においては、ＳＣＣＨ２５０は、１４ビットのＴＦＲＩ２５１と、６ビットのＨＡＲＱ２５２と、１６ビットのＣＲＣ２５３とを含む。しかし、本発明はこのような特定の実施例に限定されるものではない。
【００２３】
本発明によれば、ＳＣＣＨ内の制御情報の一部、即ちサブセットのみが、ＨＳ−ＤＳＣＨ上でデータ送信の開始、例えば部分的な復号化が行われる前に、復号化される。本発明の一実施例においてはＴＦＲＩのみあるいはＴＦＲＩのサブセットが、ＨＳ−ＤＳＣＨのデータ送信の開始前に、即ちＨＳ−ＤＳＣＨ送信タイムインターバル（ＴＴＩ）の開始前に復号化される。かくして、ＴＦＲＩ情報は、この実施例においてはＨＡＲＱとＣＲＣ情報から個別に復号化される。本発明の更なる別の実施例においては、ＴＦＲＩのサブセット（例、符号情報２６０）はＨＡＲＱとＣＲＣ情報とＴＦＲＩ情報の残りの部分から個別に符号化される。
【００２４】
前述したように、ＳＣＣＨ内の制御情報は、ブロック符号あるいはたたみ込み符号をいずれかを用いて符号化されて所望の信頼性を得る。ブロック符号を用いた場合には、ＳＣＣＨ内の符号情報と残りの情報が別個に符号化され、そして復号化される。しかし、ブロック符号は、ハードディジジョン復号化で性能が悪い。たたみ込み符号は、固有のソフトディジジョン復号化で与えて、かくして性能が良好である。
【００２５】
しかし、たたみ込み符号でＳＣＣＨ内の異なる情報（例えば、符号情報２６０と他の残りの情報）を個別に符号化することは、たたみ込み符号の各々に対するテールビットを追加する故により高いオーバヘッドとなる。ＳＣＣＨ内の全ての情報に対し、唯一のたたみ込み符号を用いた場合には、ＨＳ−ＤＳＣＨＴＴＩの前に部分的に復号化されるべきＳＣＣＨ情報の一部上でのエラーレートは、全ＳＣＣＨブロックエラーレートよりも高くなることがある。
【００２６】
上記の例を続けると、共有制御チャネルは、ＨＳ−ＤＳＣＨ上の対応する送信タイムインターバル（ＴＴＩ）に対し、タイムスロットが２個分だけオフセットしている。かくして、ＳＣＣＨ内の制御情報は、ＨＳ−ＤＳＣＨ上の対応する２個のタイムスロットだけＴＴＩのスタートより前に送信され、ＳＣＣＨとＨＳ−ＤＳＣＨとの間に１個のタイムスロットのオーバラップが存在する。このオフセットがあるために、部分的復号化は、ＨＳ−ＤＳＣＨＴＴＩのスタート前にＳＣＣＨ情報の一部の上で実行することができる。
【００２７】
本発明の一態様によれば、たたみ込み符号に関連して追加されたオーバヘッド、例えば追加されたテールビットを効果的に管理して、たたみ込み符号の符号化効率が実現できる。例えば、固有のソフトディジジョンデコーディングに起因して性能が良好になる。具体的に説明すると、本発明の一実施例においては、１個の組のテールビットのたたみ込み符号を用いて、ＳＣＣＨで搬送される様々な種類の情報を個別に符号化する。図４においては、例えばＳＣＣＨ２７５は、ＴＦＲＩ２７６、ＨＡＲＱ２７７、ＣＲＣ２７８、テールビット２７９を有する。
【００２８】
以下に詳述するように、この実施例においては、レート１／３のたたみ込み符号を用いて、ＳＣＣＨ２７５で送信される制御情報を符号化している。しかし、この実施例は本発明の単なる一実施例である。レート１／３の符号化シーケンスは、ＳＣＣＨのデータレートに適合するためにパンクチャ（punctured）をする必要がある。特にパンクチャリングを用いて符号化シーケンスからあるビットを選択的に取り除く。パンクチャリングの一例を図５を参照して次に説明する。
【００２９】
図４において、ＴＦＲＩ２７６は、符号化ＴＦＲＩ２８０で示すように個別に符号化され、ＳＣＣＨ２７５の情報の残りの部分は、部分２８１として符号化され送信される。かくして、符号化されたＴＦＲＩ２８０は、残りの符号化部分２８１の残りの部分を受信する前に復号化される。符号化されたＴＦＲＩ２８０は、符号化された残りの符号化部分２８１の残りとインターリーブされることはない。ＴＦＲＩ２７６のサブセット（例えば、図３の符号情報２６０）は、ＴＦＲＩ２７６全体の代わりに個別に符号化される。個別に符号化されるべきＴＦＲＩ２７６の特定の内容は、どのシグナリング情報が必要とされるべきか、および対応するＨＳ−ＤＳＣＨＴＴＩのスタートの前に部分的に復号化されるかにより決定される。
【００３０】
符号化されたＴＦＲＩ２８０は、ＳＣＣＨ２７５からの情報の符号化シーケンス全体を受信する前に復号化されるために、ＴＦＲＩ２８０に対するエラーレートは、ＳＣＣＨ２７５内の情報の残りの部分に対するよりも高い。例えば、ＴＦＲＩ２８０は、この実施例においては、テールビット２７９の利点なしに復号化される。ＴＦＲＩ２８０上でＳＣＣＨ２７５内の他の符号化情報（ＨＡＲＱ２７７とＣＲＣ２７８）と同様な信頼性を与えるために、可変のあるいは不均一のパンクチャリングスキームが本発明の一実施例によりたたみ込み符号化と共に用いられる。
【００３１】
具体的に説明すると、符号化されたＴＦＲＩ２８０に対しては、パンクチャリングが行われないかあるいは殆ど行われないで、これはＨＳ−ＤＳＣＨＴＴＩのスタートの前に符号化される情報であり、一方、ＳＣＣＨ２７５からの残りの符号化部分２８１の残りの符号化シーケンスに対してはより多くのパンクチャリングが行われる。このようにしてレートマッチングは達成できるが、これはより多くのパンクチャリングが符号化された符号化ＴＦＲＩ２８０に対し行われた場合に発生するであろう前の符号化情報（例、符号化ＴＦＲＩ２８０）における高いエラーレートを回避しながら達成することができる。
【００３２】
図５は、本発明の一実施例による符号化スキーム３００を示す。具体的に説明すると、このプロセスは、図３で説明したようにＳＣＣＨからの制御情報の３６ビット（例えば、１４ビットのＴＦＲＩ、６ビットのＨＡＲＱ、１６ビットのＣＲＣ）で開始する。ブロック３０１において、８テールビットが公知の技術に従ってシーケンスに追加され、４４ビットの出力シーケンスとなる。公知の技術に従って、ブロック３０２内で前述したたたみ込み符号化スキーム（例、Ｒ＝１／３，Ｋ＝９）を適用することにより、その結果得られた符号化シーケンスは、１３２ビットとなる。
【００３３】
ＨＳ−ＳＣＣＨに対し１２８の拡散係数でもって、１２０ビットは、２ミリ秒の送信タイムインターバル（ＴＴＩ）で搬送することのできる最大数であり、その結果、符号化シーケンスは、１２ビット分だけ最大値を超える。かくして１２ビットは、ブロック３０３で示すように符号化シーケンスからパンクチャされる。早く復号化されるべき、例えばＨＳ−ＤＳＣＨＴＴＩのスタート前におよび受信中の符号化ＳＣＣＨシーケンスの全部の前に、復号化されるべき符号化情報上でパンクチャリングが行われないかあるいは余り行われないような前の実施例に適合すると、１２ビットは、前の復号化で用いられなかった符号化シーケンスの後者の部分（図４の残りの符号化部分２８１内）内からパンクチャされる。
【００３４】
本発明の他の態様によれば、テールビットの全数は、ＳＣＣＨ符号化シーケンスの複数の場所に分配される。例えば、テールビットの短いシーケンス（ＳＣＣＨ符号化シーケンスに追加すべきテールビットの全数の一部）が符号化されたＴＦＲＩ情報の末尾に追加され（図４の２８０）、そしてさらに符号化されたＴＦＲＩ情報２８０上でのエラーの確率を減らしている。
【００３５】
例えば、図６は、Ｎビットフィールド４０１とＭビットフィールド４０２のような２個以上の情報フィールドを含むフレーム４００（送信タイムインターバル（ＴＴＩ））の一般的なケースを表す。フィールド４０１は、Ｎビットを、フィールド４０２はＭビットを含み、これらはたたみ込み符号化される。フレームベースの送信でたたみ込み符号化されるために、Ｐテールビット４０３は、たたみ込み符号化する前にＮビットとＭビットのシーケンス全体に添付される。一般的に、Ｐ＝Ｋ−１で、Ｋはたたみ込み符号の一定長さであり、全て０のシーケンスである。このスキームに従ったテールビットを含ませることにより、たたみ込み復号化器は全て０の状態になり、これによりその状態で終了する最大ゆう度シーケンス（maximum likelihood sequence）の選択が可能となる。
【００３６】
たたみ込み符号のたたみ込み復号化（テールビット４０３により）においては、フレーム４００内の情報ビットＮとＭのシーケンス全体は、全ての符号化ビットを受領した後のみ決定される。前の実施例で説明したように、符号化ビットのシーケンス全体を受領する前にそのフレームの第１部分（例えば、図６のフィールド４０１と図４のＴＦＲＩ２７６に対応するＮビット）を復号化するのが好ましい。Ｎが小さい場合には、たたみ込み符号で復号化のＮ番目のステージでの最大ゆう度シーケンスを選択することは、非常に性能が一般的に悪くなり、これはこれらのＮビットが他のＭ＋Ｐビットで一緒に符号化されている利点を得ることがないからである。
【００３７】
Ｎビットの符号化されたエラー確率を初期復号化（図４のＴＦＲＩ２７６／２８０の初期復号化）で改善する１つの方法を図５に示す。具体的には、図６のＰテールビット４０３をＮビットフィールド４５１の直後にＰテールビットのサブセットｘ（４５２）を挿入することにより分離する。残りのＰ−ｘテールビット４５４は、その後、Ｍビットフィールド４５３にアペンドする。
【００３８】
このアプローチにおいては、早期復号化とフレーム４５０の復号化エラー確率全体に基づいて、Ｎビットフィールド４５１の復号化エラー確率のトレードオフを達成することができる。ｘ（４５２）に対する大きな値が、Ｎビットフィールド４５１の復号化エラー確率を改善するが、Ｍビットフィールド４５３の復号化エラー確率全体は悪くなる。そのためｘテールビット４５２に対する適切な値を選択することは、設計的事項であり、２つのフィールド４５１と４５３に対する許容可能な復号化エラー確率のような係数に依存する。
【００３９】
本発明の他の態様によれば、早期（early）復号化情報上のエラー（例えば、シーケンス全体を受領する前に符号化されたシーケンスの一部を復号化する）が、全てのＳＣＣＨ情報を復号化したときに検出される。例えば、ＴＦＲＩを復号化する際のエラーは、データ送信で用いられる符号（送信フォーマット）の不正確な指定となる。本発明の一実施例においては、ＴＦＲＩの早期復号化は、符号４ないし１０がデータ送信に用いられることを表している。しかし、ＳＣＣＨ符号化シーケンス全体の復号化の終了時には、より正確な復号化が、符号６ないし８のみが正確にデータ送信用に用いられたことをＣＲＣが示す利点でもって得られる。
【００４０】
この点において、符号４−５と９−１０は、不必要にバッファリングされていた。しかし、ＣＲＣの利点を具備したより正確な復号化が適応できない符号の送信の処理を少なくとも中止するために用いられる。ＳＣＣＨとＨＳ−ＤＳＣＨとの間にオフセットがあるために、更新されより正確となった復号化されたシグナリング情報を用いる利点がある。したがってＴＦＲＩの早期復号化から得られたあるエラーは、ＣＲＣを通過した後は修正される。
【００４１】
本発明は、ユニバーサルモバイルテレコミュニケーションシステム（ＵＭＴＳ）標準の高速ダウンリンクパケットアクセス（ＨＳＤＰＡ）仕様に従った無線通信システムを例に説明したが、本発明は他の公知あるいはこれから開発される無線通信の標準にも適用可能である。
【００４２】
以上の説明は、本発明の一実施例に関するもので、この技術分野の当業者であれば、本発明の種々の変形例を考え得るが、それらはいずれも本発明の技術的範囲に包含される。尚、特許請求の範囲に記載した参照番号がある場合は、発明の容易な理解のためで、その技術的範囲を制限するよう解釈されるべきではない。
【図面の簡単な説明】
【図１】
無線通信システムの高速ダウンリンク共有チャネルに関連するシグナリングチャネルを表す図
【図２】
無線通信システムの高速ダウンリンク共有チャネル内のデータの送信に対しシグナリング情報の送信のタイミングを表す図
【図３】
本発明の一実施例による無線通信システムの共有制御チャネル用の通信チャネルフォーマットを表す図
【図４】
本発明の一実施例による共有制御チャネルの関連する符号化と通信チャネルフォーマットのブロック図
【図５】
本発明の一実施例による符号化スキームを表す図
【図６】
本発明の一実施例によるテールビットを採用する別のたたみ込み符号化スキームのブロック図
【図７】
本発明の一実施例によるテールビットを採用する別のたたみ込み符号化スキームのブロック図
【符号の説明】
１００  基礎的フィジカルチャネル構造
１０１，１５１，１５２  ダウンリンクフィジカルチャネル（ＤＰＣＨ）
１０２，１５３  共有制御チャネル（ＳＣＣＨ）
１５４  高速ダウンリンク共有チャネル（ＨＳ−ＤＳＣＨ）
１５５  タイムスロット
１５６，１５７  送信タイムインターバル（ＴＴＩ）
１５８  タイムインターバル（τＨＳ−ＤＳＣＨ−ｃｏｎｔｒｏｌ）
１６０，１６１  ＨＳ−ＤＳＣＨインディケータ（ＨＩ）
２５０，２７５  ＳＣＣＨ
２５１  ＴＦＲＩ
２５２  ＨＡＲＱ
２５３  ＣＲＣ
２７６  トランスポートフォーマット／資源関連情報（ＴＦＲＩ）
２７７  ハイブリッド自動再送要求（ＨＡＲＱ）情報
２７８  巡回冗長性チェック（ＣＲＣ）情報
２６０  符号情報
２６１  変調情報
２６２  送信ブロックセットサイズ（ＴＢＳＳ）／送信チャネル特定情報
２７９  テールビット
２８０  符号化ＴＦＲＩ
２８１  残りの符号化部分
３００  符号化スキーム
４００，４５０  フレーム
４０１，４５１  Ｎビットフィールド
４０２，４５３  Ｍビットフィールド
４０３  Ｐテールビット
４５２  ｘテールビット
４５４  Ｐ−ｘテールビット
２６０  符号情報（７ビット）
２６１  変調（１ビット）（６ビット）
２８０  パンクチャリングなしか少ない
２８１  パンクチャリングが多い
１５１  ダウンリンクＤＰＣＨ（最初期）
１５２  ダウンリンクＤＰＣＨ（最後期）
１５３  共有制御チャネル
３０１  ８テールビットを追加  ４４ビット
３０２  たたみ込み符号化  １３２ビット
３０３  １２ビットをパンクチャする